(57)【要約】【課題】ジョブ設定情報の設定に関する操作性の低下を抑制することができる画像形成装置を提供する。【解決手段】ジョブ設定情報を直接編集できないＭＦＰ１１は、ＭＦＰ１１にログインしたユーザのユーザ識別番号及び投入されたジョブの種別に対応するユーザ固有設定情報が登録されている場合、上記ユーザ固有設定情報をジョブ設定情報に設定する。【選択図】図６
2019062455.tif 000002
【特許請求の範囲】
【請求項１】
投入されたジョブの実行に必要となるジョブ設定情報を直接編集できない画像形成装置であって、
前記ジョブ設定情報を設定する設定手段と、
前記設定されたジョブ設定情報に基づいて前記投入されたジョブを実行する実行手段とを備え、
前記設定手段は、前記画像形成装置にログインしたユーザの識別情報及び前記投入されたジョブの種別に対応するユーザ固有設定情報が登録されている場合、前記ユーザ固有設定情報を前記ジョブ設定情報に設定することを特徴とする画像形成装置。
【請求項２】
前記設定手段は、前記画像形成装置にログインしたユーザの識別情報及び前記投入されたジョブの種別に対応するユーザ固有設定情報が登録されていない場合、前記画像形成装置を利用する全てのユーザ共通の標準設定情報を前記ジョブ設定情報に設定することを特徴とする請求項１記載の画像形成装置。
【請求項３】
前記ジョブの種別に対応する複数の実行指示受付手段と、
前記複数の実行指示受付手段のうち前記投入されたジョブに対応する実行指示受付手段の点灯制御を行う制御手段とを備え、
前記制御手段は、前記ジョブ設定情報に前記ユーザ固有設定情報が設定された場合と前記ジョブ設定情報に前記標準設定情報が設定された場合とで前記実行指示受付手段の点灯の態様を変えることを特徴とする請求項２記載の画像形成装置。
【請求項４】
前記設定手段は、前記画像形成装置にログインしたユーザの識別情報及び前記投入されたジョブの種別に対応する一時的設定情報が登録されている場合、前記一時的設定情報を前記ジョブ設定情報に設定し、
前記一時的設定情報は所定の条件を満たした際に登録が破棄されることを特徴とする請求項１乃至３のいずれか１項に記載の画像形成装置。
【請求項５】
前記所定の条件は、１つのジョブの実行を完了することであることを特徴とする請求項４記載の画像形成装置。
【請求項６】
前記所定の条件は、前記ユーザが前記画像形成装置からログアウトすることであることを特徴とする請求項４又は５記載の画像形成装置。
【請求項７】
投入されたジョブの実行に必要となるジョブ設定情報を直接編集できない画像形成装置の制御方法であって、
前記ジョブ設定情報を設定する設定ステップと、
前記設定されたジョブ設定情報に基づいて前記投入されたジョブを実行する実行ステップとを有し、
前記設定ステップは、前記画像形成装置にログインしたユーザの識別情報及び前記投入されたジョブの種別に対応するユーザ固有設定情報が登録されている場合、前記ユーザ固有設定情報を前記ジョブ設定情報に設定することを特徴とする画像形成装置の制御方法。
【請求項８】
投入されたジョブの実行に必要となるジョブ設定情報を直接編集できない画像形成装置の制御方法をコンピュータに実行させるプログラムであって、
前記画像形成装置の制御方法は、
前記ジョブ設定情報を設定する設定ステップと、
前記設定されたジョブ設定情報に基づいて前記投入されたジョブを実行する実行ステップとを有し、
前記設定ステップは、前記画像形成装置にログインしたユーザの識別情報及び前記投入されたジョブの種別に対応するユーザ固有設定情報が登録されている場合、前記ユーザ固有設定情報を前記ジョブ設定情報に設定することを特徴とするプログラム。
【発明の詳細な説明】
【技術分野】
【０００１】
本発明は、画像形成装置及びその制御方法、並びにプログラムに関する。
【背景技術】
【０００２】
コピー、スキャン、及びプリント等のジョブを実行する画像形成装置としてのＭＦＰが知られている。ＭＦＰはＬＣＤ（Liquid Crystal Display）及び複数の操作ボタンを含む操作部を備える（例えば、特許文献１参照）。ユーザは、例えば、コピージョブを実行する場合、原稿をＭＦＰに配置し、ＬＣＤに表示された設定画面から部数や用紙サイズといったコピージョブの実行に用いられる設定情報（以下、「ジョブ設定情報」という。）を設定して、コピージョブの実行指示を行う。
【０００３】
一方、近年では、ＭＦＰも安価であることが強く求められているため、ＬＣＤを搭載しないＭＦＰ（以下、「ＬＣＤ未搭載ＭＦＰ」という。）が市場に提供されている。ＬＣＤ未搭載ＭＦＰでは、上記設定画面を操作部に表示することができないので、ユーザは操作部を用いてジョブ設定情報の編集操作を行うことができない。このため、ＬＣＤ未搭載ＭＦＰでは、ユーザは他の装置、例えば、ＬＣＤ未搭載ＭＦＰと通信可能なＰＣを用いてジョブ設定情報の設定を行い、ＭＦＰの操作部を用いてジョブの実行指示を行う。
【先行技術文献】
【特許文献】
【０００４】
【特許文献１】特開２００１−３０６２０４号公報
【発明の概要】
【発明が解決しようとする課題】
【０００５】
しかしながら、ＬＣＤ未搭載ＭＦＰでは、ユーザがＰＣよりＬＣＤ未搭載ＭＦＰに近い等といったユーザがＰＣよりＬＣＤ未搭載ＭＦＰを操作し易い状況下であっても、ＰＣを用いてジョブ設定情報を設定する必要がある。このため、従来のＬＣＤ未搭載ＭＦＰでは、ジョブ設定情報の設定に関する操作性が低下してしまうという問題が生じる。
【０００６】
本発明の目的は、ジョブ設定情報の設定に関する操作性の低下を抑制することができる画像形成装置及びその制御方法、並びにプログラムを提供することにある。
【課題を解決するための手段】
【０００７】
上記目的を達成するために、本発明の画像形成装置は、投入されたジョブの実行に必要となるジョブ設定情報を直接編集できない画像形成装置であって、前記ジョブ設定情報を設定する設定手段と、前記設定されたジョブ設定情報に基づいて前記投入されたジョブを実行する実行手段とを備え、前記設定手段は、前記画像形成装置にログインしたユーザの識別情報及び前記投入されたジョブの種別に対応するユーザ固有設定情報が登録されている場合、前記ユーザ固有設定情報を前記ジョブ設定情報に設定することを特徴とする。
【発明の効果】
【０００８】
本発明によれば、ジョブ設定情報の設定に関する操作性の低下を抑制することができる。
【図面の簡単な説明】
【０００９】
【図１】本発明の実施の形態に係る画像形成装置としてのＭＦＰのネットワーク構成を説明するための図である。
【図２】図１のＭＦＰの構成を概略的に示すブロック図である。
【図３】図２の操作部の外観図である。
【図４】図２の操作部の内部構成を概略的に示すブロック図である。
【図５】図１の携帯端末の構成を概略的に示すブロック図である。
【図６】図１のＭＦＰによって実行されるジョブ受付処理の手順を示すフローチャートである。
【図７】図１のＰＣに表示されるデフォルト設定登録画面の一例を示す図である。
【図８】図１のＭＦＰによって管理されるデフォルト設定管理情報の一例を示す図である。
【図９】図１のＰＣに表示されるユーザ固有設定登録画面の一例を示す図である。
【図１０】図１のＭＦＰによって管理されるユーザ設定管理情報の一例を示す図である。
【図１１】図６のステップＳ６１０のコピー処理の手順を示すフローチャートである。
【図１２】図６のステップＳ６１２のスキャン処理の手順を示すフローチャートである。
【図１３】図１２のステップＳ１２１５のスキャン後処理の手順を示すフローチャートである。
【図１４Ａ】図６のステップＳ６１８の中止処理の手順を示すフローチャートである。
【図１４Ｂ】図６のステップＳ６１８の中止処理の手順を示すフローチャートである。
【図１５】図６のステップＳ６２１のハンドオーバー処理の手順を示すフローチャートである。
【図１６】図１の携帯端末に表示される設定画面の一例を示す図である。
【図１７】図１のＰＣに表示されるユーザ固有設定登録画面の一例を示す図である。
【図１８】図６のジョブ受付処理の変形例の手順を示すフローチャートである。
【図１９】図２の操作部の構成の変形例を示す図である。
【図２０】図１のＰＣによって実行されるセキュアプリントジョブ投入処理の手順を示すフローチャートである。
【図２１】図１のＰＣに表示される画面の一例を示す図である。
【図２２】図１のＰＣによって管理される操作ボタン管理情報の一例を示す図である。
【図２３】図１のＰＣに表示されるパスワード設定画面の一例を示す図である。
【図２４】図１のＭＦＰによって実行されるセキュアプリント実行処理の手順を示すフローチャートである。
【発明を実施するための形態】
【００１０】
以下、本発明の実施の形態を図面を参照しながら詳述する。
【００１１】
本実施の形態では、画像形成装置としてのＭＦＰに本発明を適用した場合について説明するが、本発明はＭＦＰに限られず、例えば、ジョブの実行に必要となるジョブ設定情報を編集する操作部を備えない装置に本発明を適用してもよい。
【００１２】
図１は、本発明の実施の形態に係る画像形成装置としてのＭＦＰ１１のネットワーク構成を説明するための図である。
【００１３】
図１において、ＭＦＰ１１はＰＣ１３及びアクセスポイント１４とＬＡＮ１２を構成する。ＬＡＮ１２では、ＭＦＰ１１は図示しないＬＡＮケーブルによってＬＡＮ１２に接続されたＰＣ１３と有線ＬＡＮ通信を行い、また、ＭＦＰ１１はアクセスポイント１４を介してＬＡＮ１２に無線ＬＡＮ接続された携帯端末１５と無線ＬＡＮ通信を行う。
【００１４】
ＭＦＰ１１はユーザによる実行指示に応じてコピー、スキャン、及びプリント等のジョブを実行する。ユーザは後述する図２の操作部２０４を用いてＭＦＰ１１にジョブの実行指示を行うが、後述する操作部２０４は最小限の機能のみを備える簡易的な構成であるため、ユーザはジョブ設定情報をＭＦＰ１１から直接設定することができない。これに対して、本実施の形態では、ユーザがＭＦＰ１１にジョブを実行させる場合、ユーザはＰＣ１３等を用いてジョブ設定情報を設定し、ジョブの実行指示をＭＦＰ１１の後述する操作部２０４を用いて行う。
【００１５】
図２は、図１のＭＦＰ１１の構成を概略的に示すブロック図である。
【００１６】
図２において、ＭＦＰ１１はＣＰＵ２０１、ＤＲＡＭ２０２、シリアルＩ／Ｆ２０３、操作部２０４、ネットワークＩ／Ｆ２０５、プリンタ２０６、スキャナ２０７、ＦＡＸ通信部２０８、ＨＤＤ２１０、画像処理部２１１、及びフラッシュＲＯＭ２１２を備える。ＣＰＵ２０１、ＤＲＡＭ２０２、シリアルＩ／Ｆ２０３、ネットワークＩ／Ｆ２０５、プリンタ２０６、スキャナ２０７、ＦＡＸ通信部２０８、ＨＤＤ２１０、画像処理部２１１、及びフラッシュＲＯＭ２１２はシステムバス２１３を介して互いに接続されている。
【００１７】
ＣＰＵ２０１はＭＦＰ１１全体を統括的に制御する。ＤＲＡＭ２０２はＣＰＵ２０１によって実行されるプログラムを格納する。また、ＤＲＡＭ２０２はデータの一時的な格納領域として用いられる。シリアルＩ／Ｆ２０３は操作部２０４及びシステムバス２１３を接続する。操作部２０４は最小限の機能のみを備え、ユーザに操作された内容をシリアルＩ／Ｆ２０３を介してＣＰＵ２０１に通知する。なお、操作部２０４の構成について後述する。ネットワークＩ／Ｆ２０５はＰＣ１３や携帯端末１５等の外部装置とデータ通信を行う。プリンタ２０６はスキャナ２０７によって生成されたスキャン画像等を用紙に印刷する。スキャナ２０７は原稿を光学的に読み取り、読み取った情報に基づいてスキャン画像を生成する。ＦＡＸ通信部２０８は公衆回線２０９を介して外部装置とファクシミリ通信を行う。ＨＤＤ２１０はＣＰＵ２０１によって実行されるプログラムを格納する。また、ＨＤＤ２１０はジョブのスプール領域として用いられる。画像処理部２１１は外部装置から受信した印刷データをプリンタ２０６が印刷可能なデータに変換する変換処理を実行する。また、画像処理部２１１はスキャナ２０７によって生成されたスキャン画像に対してノイズ除去、色空間変換、回転、圧縮等の処理を施す。フラッシュＲＯＭ２１２はＣＰＵ２０１によって実行されるプログラムを格納する。また、フラッシュＲＯＭ２１２は後述する図８のデフォルト設定管理情報８０１及び図１０のユーザ設定管理情報１００１等を格納する。
【００１８】
図３は、図２の操作部２０４の外観図である。
【００１９】
図３において、操作部２０４は、ＮＦＣ（Near Field Radio Communication）通信領域３０１、ステータスＬＥＤ３０２、及び複数の操作ボタン（実行指示受付手段）を備える。複数の操作ボタンは、具体的に、コピーボタン３０３、スキャンボタン３０４、プリントボタン３０５、中止ボタン３０６、終了／ログアウトボタン３０７、及びモバイルボタン３０８である。操作部２０４では、コピーボタン３０３、スキャンボタン３０４、プリントボタン３０５、終了／ログアウトボタン３０７、及びモバイルボタン３０８に対応するＬＥＤ３０９〜３１２（実行指示受付手段）が各操作ボタンの周りを覆うように配置されている。なお、操作部２０４には、ジョブ設定情報を設定する設定画面を表示可能な表示部が設けられていない。
【００２０】
ＮＦＣ通信領域３０１は近距離無線通信機器をかざす位置を示す目印である。ＭＦＰ１１の外側からＮＦＣ通信領域３０１を眺めた際に、ＮＦＣ通信領域３０１に重なる位置に後述する図４のアンテナ４０３及びＮＦＣタグ４０５が配置されている。例えば、ユーザがＮＦＣ通信領域３０１に図示しない非接触カードを近付けると、非接触カード及びＭＦＰ１１間でＮＦＣ通信規格に準拠した近距離無線通信（以下、「ＮＦＣ規格通信」という。）が行われ、ＭＦＰ１１は非接触カードに設定された情報を読み取る。また、ユーザがＮＦＣ通信領域３０１に携帯端末１５を近付けると、携帯端末１５が後述する図４のＮＦＣタグ４０５に書き込まれたネットワーク情報をＮＦＣ規格通信によって取得する。ネットワーク情報はＮＦＣ規格通信より高速通信可能なＷｉｆｉ等の無線通信を行うために必要となる情報であり、例えば、ＭＦＰ１１のＩＰアドレス及びＳＳＩＤである。ステータスＬＥＤ３０２はＭＦＰ１１の状態を点灯する色によって通知する。例えば、ＭＦＰ１１が正常状態である場合にはステータスＬＥＤ３０２が緑色に点灯し、また、ＭＦＰ１１が異常状態である場合にはステータスＬＥＤ３０２が赤色に点灯する。
【００２１】
コピーボタン３０３はコピーの実行指示を行うための操作ボタンである。スキャンボタン３０４はスキャンの実行指示を行うための操作ボタンである。プリントボタン３０５はプリントの実行指示を行うための操作ボタンである。中止ボタン３０６はＭＦＰ１１に投入されたジョブの中止指示を行うための操作ボタンである。終了／ログアウトボタン３０７はＭＦＰ１１からログアウトする指示を行うための操作ボタンである。モバイルボタン３０８はネットワーク情報の通知指示を行うための操作ボタンである。モバイルボタン３０８が選択されると、例えば、上記ネットワーク情報が印刷された用紙が出力される。
【００２２】
ＬＥＤ３０９〜３１３は対応する操作ボタンの状態を通知する。例えば、ＬＥＤ３０９〜３１３は対応する操作ボタンが操作可能な状態である場合に点灯し、操作不可能な状態である場合に点灯しない。以下では、コピーボタン３０３に対応するＬＥＤ３０９をコピーＬＥＤ３０９とする。スキャンボタン３０４に対応するＬＥＤ３１０をスキャンＬＥＤ３１０とする。プリントボタン３０５に対応するＬＥＤ３１１をプリントＬＥＤ３１１とする。終了／ログアウトボタン３０７に対応するＬＥＤ３１２を終了／ログアウトＬＥＤ３１２とする。モバイルボタン３０８に対応するＬＥＤ３１３をモバイルＬＥＤ３１３とする。
【００２３】
図４は、図２の操作部２０４の内部構成を概略的に示すブロック図である。
【００２４】
図４において、操作部２０４は、図３の各構成要素の他に、操作部Ｉ／Ｆ４０１、ボタン検知部４０２、アンテナ４０３、カードＩ／Ｆ４０４、ＮＦＣタグ４０５、ＬＥＤ制御部４０６、音声制御部４０７、及びスピーカー４０８を備える。操作部Ｉ／Ｆ４０１、ボタン検知部４０２、カードＩ／Ｆ４０４、ＮＦＣタグ４０５、ＬＥＤ制御部４０６、及び音声制御部４０７は内部信号バス４０９を介して互いに接続されている。コピーボタン３０３、スキャンボタン３０４、プリントボタン３０５、中止ボタン３０６、終了／ログアウトボタン３０７、及びモバイルボタン３０８はボタン検知部４０２と接続されている。アンテナ４０３はカードＩ／Ｆ４０４と接続されている。ステータスＬＥＤ３０２、コピーＬＥＤ３０９、スキャンＬＥＤ３１０、プリントＬＥＤ３１１、終了／ログアウトＬＥＤ３１２、及びモバイルＬＥＤ３１３はＬＥＤ制御部４０６と接続されている。スピーカー４０８は音声制御部４０７と接続されている。
【００２５】
操作部Ｉ／Ｆ４０１は内部信号バス４０９及びシリアルＩ／Ｆ２０３を接続する。ボタン検知部４０２は各操作ボタンのオンオフ状態を検知し、検知した結果を操作部Ｉ／Ｆ４０１を介してＣＰＵ２０１に通知する。アンテナ４０３はＮＦＣ通信領域３０１に近付いた非接触カードと電磁的に結合する。これにより、ＭＦＰ１１は上記非接触カードとＮＦＣ規格通信可能となる。カードＩ／Ｆ４０４はＮＦＣ規格通信によって非接触カードに設定された情報を読み取る。非接触カードには、例えば、当該非接触カードの製造時に設定されたユーザ識別番号（ユーザの識別情報）が設定されている。カードＩ／Ｆ４０４は読み取ったユーザ識別番号をＣＰＵ２０１へ通知し、また、カードＩ／Ｆ４０４は上記ユーザ識別番号をＤＲＡＭ２０２に書き込む。ＮＦＣタグ４０５は上記ネットワーク情報を格納する。ＬＥＤ制御部４０６は接続された各ＬＥＤの点灯及び消灯を制御する。音声制御部４０７はＣＰＵ２０１から受信した制御信号に基づいてスピーカー４０８の音声出力制御を行う。スピーカー４０８は音声ガイダンスやエラー検知時の警告音等を出力する。
【００２６】
図５は、図１の携帯端末１５の構成を概略的に示すブロック図である。
【００２７】
図５において、携帯端末１５はＣＰＵ５０１、メモリ５０２、ストレージ５０３、ＮＦＣコントローラ５０４、ＮＦＣアンテナ５０５、Ｗｉｆｉコントローラ５０６、Ｗｉｆｉアンテナ５０７、ＬＣＤ５０８、タッチパネル５０９、及びボタン５１０を備える。ＣＰＵ５０１は、メモリ５０２、ストレージ５０３、ＮＦＣコントローラ５０４、Ｗｉｆｉコントローラ５０６、ＬＣＤ５０８、タッチパネル５０９、及びボタン５１０と接続されている。ＮＦＣアンテナ５０５はＮＦＣコントローラ５０４と接続されている。Ｗｉｆｉアンテナ５０７はＷｉｆｉコントローラ５０６と接続されている。
【００２８】
ＣＰＵ５０１は携帯端末１５全体を統括的に制御する。メモリ５０２はＣＰＵ５０１の作業領域として、また、各データの一時格納領域として用いられる。ストレージ５０３は不揮発メモリであり、プログラム及びデータを格納する。ＮＦＣコントローラ５０４はＮＦＣアンテナ５０５を介してＭＦＰ１１とＮＦＣ規格通信を行う。Ｗｉｆｉコントローラ５０６はＷｉｆｉアンテナ５０７を介してＭＦＰ１１と無線通信を行う。ＬＣＤ５０８はＣＰＵ５０１によって生成された画面データを表示する。画面データは、例えば、ＭＦＰ１１にジョブの実行指示を行う後述する図１６の設定画面１６００を表示するためのデータである。タッチパネル５０９はＬＣＤ５０８の表面を覆うように配置されている。ユーザがＬＣＤ５０８に表示されたボタン等をタッチすると、携帯端末１５ではユーザがタッチした位置を示すタッチ座標がＣＰＵ５０１に送信される。ボタン５１０は携帯端末１５における電源のオンオフ操作を行う電源ボタン及びホーム画面に戻るためのホームボタン等である。
【００２９】
図６は、図１のＭＦＰ１１によって実行されるジョブ受付処理の手順を示すフローチャートである。
【００３０】
図６の処理は、ＣＰＵ２０１がフラッシュＲＯＭ２１２に格納されたプログラムを実行することによって行われ、ＮＦＣ通信領域３０１に近距離無線通信機器が近付いたことをＣＰＵ２０１が検知した際に実行される。また、図６の処理では、ＭＦＰ１１に複数のジョブが投入され、さらに、ＭＦＰ１１の管理者がＰＣ１３を用いて、ＭＦＰ１１を利用する全ユーザ共通のジョブ設定情報であるデフォルト情報（標準設定情報）を予め登録していることを前提とする。ＭＦＰ１１の管理者がＰＣ１３においてユーザ認証を成功すると、ＰＣ１３では、図７のデフォルト設定登録画面７００が表示される。デフォルト設定登録画面７００はＰＣ１３のウェブブラウザ上に表示される。ＭＦＰ１１の管理者はデフォルト設定登録画面７００を用いてデフォルト情報の登録及び変更をコピー、スキャン、及びプリントといったジョブの種別毎に行う。デフォルト設定登録画面７００では、例えば、コピージョブに用いられる、カラー／白黒７０１、拡大縮小７０２、用紙サイズ７０３、仕上げ７０４、両面／片面７０５、解像度７０６、及び部数７０７のデフォルト情報が登録される。各項目の設定値が入力され、ＯＫボタン７０８が選択されると、入力された設定値がデフォルト設定管理情報８０１に登録される。デフォルト設定管理情報８０１はジョブの種別毎にデフォルト情報を管理する。デフォルト設定管理情報８０１はＭＦＰ１１によって管理され、ＭＦＰ１１のフラッシュＲＯＭ２１２に格納されている。
【００３１】
図６において、まず、ＣＰＵ２０１は検知した近距離無線通信機器が携帯端末及び非接触カードの何れであるかを確認する（ステップＳ６０１）。
【００３２】
ステップＳ６０１の判別の結果、上記近距離無線通信機器が非接触カードであるとき、ＣＰＵ２０１は非接触カードからユーザ識別番号を読み取り、上記ユーザ識別番号に基づいてユーザ認証を行う（ステップＳ６０２）。次いで、ＣＰＵ２０１はユーザ認証を成功したか否かを判別する（ステップＳ６０３）。ステップＳ６０３では、上記ユーザ識別番号がＨＤＤ２１０に格納されたデータベース（不図示）に登録されている場合、ＣＰＵ２０１はユーザ認証を成功したと判別する。一方、上記ユーザ識別番号が上記データベースに登録されていない場合、ＣＰＵ２０１はユーザ認証を失敗したと判別する。なお、本実施の形態では、ユーザ認証を失敗した際にＮＦＣ通信領域３０１を赤色に点灯させ、また、ユーザ認証を成功した際にＮＦＣ通信領域３０１を緑色に点灯させて、ユーザ認証の結果をユーザに通知しても良い。
【００３３】
ステップＳ６０３の判別の結果、ユーザ認証を失敗したとき、ＣＰＵ２０１はステップＳ６０１の処理に戻る。ステップＳ６０３の判別の結果、ユーザ認証を成功したとき、ＣＰＵ２０１はＭＦＰ１１の状態を確認する。また、ＣＰＵ２０１はＭＦＰ１１に投入されたジョブの中から上記ユーザ識別番号に対応するジョブを特定する（ステップＳ６０４）。ＣＰＵ２０１はＭＦＰ１１の状態及び特定したジョブの種別に基づいてコピーＬＥＤ３０９、スキャンＬＥＤ３１０、及びプリントＬＥＤ３１１の点灯制御を行う。例えば、ＭＦＰ１１が正常状態である場合、ＣＰＵ２０１はコピーＬＥＤ３０９及びスキャンＬＥＤ３１０を点灯させ、コピー及びスキャンが実行可能である旨をユーザに通知する。一方、ＭＦＰ１１が異常状態である場合、ＣＰＵ２０１はコピーＬＥＤ３０９及びスキャンＬＥＤ３１０を点灯させない。また、特定したジョブが留め置き印刷を行うプリントジョブである場合、ＣＰＵ２０１はプリントＬＥＤ３１１を点灯させ、上記プリントジョブを実行可能である旨をユーザに通知する。一方、特定したジョブが留め置き印刷を行うプリントジョブでない場合、ＣＰＵ２０１はプリントＬＥＤ３１１を点灯させない。本実施の形態では、ＭＦＰ１１は非点灯のＬＥＤに対応する操作ボタンの押下による指示を受け付けない。次いで、ＣＰＵ２０１は、特定したジョブに対応するユーザ固有設定情報が図１０のユーザ設定管理情報１００１に登録されているか否かを判別する。（ステップＳ６０５）。
【００３４】
本実施の形態では、ジョブ設定情報に設定される設定情報として、全ユーザ共通のデフォルト情報の他に、各ユーザ固有の設定情報（以下、「ユーザ固有設定情報」という）を各ユーザがＰＣ１３等を用いて予め登録可能である。ユーザがＰＣ１３においてユーザ認証を成功すると、ＰＣ１３では図９のユーザ固有設定登録画面９００が表示される。ユーザ固有設定登録画面９００もＰＣ１３のウェブブラウザ上に表示される。ユーザはユーザ固有設定登録画面９００を用いてユーザ固有設定情報の登録及び変更をコピー、スキャン、及びプリントといったジョブの種別毎に行う。ユーザ固有設定登録画面９００ではデフォルト設定登録画面７００と同様の項目のユーザ固有設定情報が登録される。各項目に設定値が入力され、ＯＫボタン９０１が選択されると、入力された設定値がユーザ設定管理情報１００１に登録される。ユーザ設定管理情報１００１は各ユーザのユーザ固有設定情報を管理する。ユーザ設定管理情報１００１もＭＦＰ１１によって管理され、ＭＦＰ１１のフラッシュＲＯＭ２１２に格納されている。
【００３５】
例えば、特定したジョブが「コピージョブ」であって且つユーザ識別番号が「００１」である場合、ユーザ設定管理情報１００１には上記条件に該当するユーザ固有設定情報１００２が登録されている。このような場合、ステップＳ６０５では、ＣＰＵ２０１は特定したジョブのユーザ固有設定情報がユーザ設定管理情報１００１に登録されていると判別する。一方、特定したジョブが「コピージョブ」であって且つユーザ識別番号が「００３」である場合、ユーザ設定管理情報１００１には上記条件に該当するユーザ固有設定情報が登録されていない。このような場合、ＣＰＵ２０１は特定したジョブのユーザ固有設定情報がユーザ設定管理情報１００１に登録されていないと判別する。
【００３６】
ステップＳ６０５の判別の結果、特定したジョブのユーザ固有設定情報がユーザ設定管理情報１００１に登録されているとき、ＣＰＵ２０１は上記ユーザ固有設定情報をジョブ設定情報に設定する（ステップＳ６０６）。次いで、ＣＰＵ２０１は特定したジョブの操作ボタンのＬＥＤ、例えば、コピーＬＥＤ３０９を点滅させる（ステップＳ６０７）。次いで、後述するステップＳ６０９の処理を行う。
【００３７】
ステップＳ６０５の判別の結果、特定したジョブのユーザ固有設定情報がユーザ設定管理情報１００１に登録されていないとき、ＣＰＵ２０１はデフォルト設定管理情報８０１から上記特定したジョブの種別に対応するデフォルト情報を取得する。ＣＰＵ２０１は取得したデフォルト情報をジョブ設定情報に設定する（ステップＳ６０８）。なお、ジョブ設定情報にデフォルト情報を設定した場合、ＣＰＵ２０１は特定したジョブの操作ボタンの点灯状態を継続させる。これにより、本実施の形態では、操作ボタンのＬＥＤの点灯状態、具体的に、ＬＥＤが点灯しているか若しくは点滅しているかにより、ユーザ固有設定情報及びデフォルト情報の何れが設定されているかをユーザに通知可能となる。次いで、ＣＰＵ２０１はコピーＬＥＤ３０９が点灯中にコピーボタン３０３の押下を検知したか否かを判別する（ステップＳ６０９）。
【００３８】
ステップＳ６０９の判別の結果、コピーボタン３０３の押下を検知したとき、ＣＰＵ２０１は後述する図１１のコピー処理を実行し（ステップＳ６１０）、ステップＳ６０４の処理に戻る。ステップＳ６０９の判別の結果、コピーボタン３０３の押下を検知しないとき、ＣＰＵ２０１はスキャンＬＥＤ３１０が点灯中にスキャンボタン３０４の押下を検知したか否かを判別する（ステップＳ６１１）。
【００３９】
ステップＳ６１１の判別の結果、スキャンボタン３０４の押下を検知したとき、ＣＰＵ２０１は後述する図１２のスキャン処理を実行し（ステップＳ６１２）、ステップＳ６０４の処理に戻る。ステップＳ６１１の判別の結果、スキャンボタン３０４の押下を検知しないとき、ＣＰＵ２０１はプリントＬＥＤ３１１が点灯中にプリントボタン３０５の押下を検知したか否かを判別する（ステップＳ６１３）。
【００４０】
ステップＳ６１３の判別の結果、プリントボタン３０５の押下を検知したとき、ＣＰＵ２０１はプリント処理を実行し（ステップＳ６１４）、ステップＳ６０４の処理に戻る。なお、留め置きを行わないプリントジョブが投入された場合、ＣＰＵ２０１はユーザ認証を成功した際にプリント処理を実行する。ステップＳ６１３の判別の結果、プリントボタン３０５の押下を検知しないとき、ＣＰＵ２０１はモバイルＬＥＤ３１３が点灯中にモバイルボタン３０８の押下を検知したか否かを判別する（ステップＳ６１５）。
【００４１】
ステップＳ６１５の判別の結果、モバイルボタン３０８の押下を検知したとき、ＣＰＵ２０１はＭＦＰ１１のネットワーク情報を通知し（ステップＳ６１６）、ステップＳ６０４の処理に戻る。ステップＳ６１５の判別の結果、モバイルボタン３０８の押下を検知しないとき、ＣＰＵ２０１は中止ボタン３０６の押下を検知したか否かを判別する（ステップＳ６１７）。
【００４２】
ステップＳ６１７の判別の結果、中止ボタン３０６の押下を検知したとき、ＣＰＵ２０１は後述する図１４Ａ及び図１４Ｂの中止処理を行い（ステップＳ６１８）、ステップＳ６０４の処理に戻る。ステップＳ６１７の判別の結果、中止ボタン３０６の押下を検知しないとき、ＣＰＵ２０１は終了／ログアウトボタン３０７の押下を検知したか否かを判別する（ステップＳ６１９）。
【００４３】
ステップＳ６１９の判別の結果、終了／ログアウトボタン３０７の押下を検知しないとき、ＣＰＵ２０１はステップＳ６０４の処理に戻る。ステップＳ６１９の判別の結果、終了／ログアウトボタン３０７の押下を検知したとき、ＣＰＵ２０１はログアウト処理を行い（ステップＳ６２０）、ステップＳ６０１の処理に戻る。
【００４４】
ステップＳ６０１の判別の結果、上記近距離無線通信機器が携帯端末であるとき、ＣＰＵ２０１は後述する図１５のハンドオーバー処理を実行し（ステップＳ６２１）、ステップＳ６０１の処理に戻る。
【００４５】
上述した実施の形態によれば、ジョブ設定情報を直接編集できないＭＦＰ１１において、ユーザ設定管理情報１００１にＭＦＰ１１にログインしたユーザのユーザ識別番号及び投入されたジョブの種別に対応するユーザ固有設定情報が登録されている場合、上記ユーザ固有設定情報がジョブ設定情報に設定される。これにより、ジョブを実行する毎にＰＣ１３を用いてジョブ設定情報を設定することなく、所望のジョブ設定情報を設定することができる。その結果、ジョブ設定情報の設定に関する操作性の低下を抑制することができる。
【００４６】
また、上述した実施の形態では、ユーザ設定管理情報１００１にＭＦＰ１１にログインしたユーザのユーザ識別番号及び投入されたジョブの種別に対応するユーザ固有設定情報が登録されていない場合、デフォルト情報がジョブ設定情報に設定される。これにより、特定のジョブ設定情報を設定する必要が無いジョブの実行においても、ジョブを実行する毎にＰＣ１３等を用いた設定操作を行うことなく、ジョブ設定情報の設定を容易に行うことができる。
【００４７】
さらに、上述した実施の形態では、ジョブ設定情報にユーザ固有設定情報が設定された場合と、ジョブ設定情報にデフォルト情報が設定された場合とで操作ボタンのＬＥＤの点灯の態様が変わる。これにより、ジョブ設定情報を表示する表示部を備えないＭＦＰ１１において、ジョブ設定情報にユーザ固有設定情報及びデフォルト情報の何れが設定されたのかについてユーザに通知することができる。
【００４８】
図１１は、図６のステップＳ６１０のコピー処理の手順を示すフローチャートである。
【００４９】
図１１において、ＣＰＵ２０１はスキャナ２０７に原稿が配置されたか否かを判別する（ステップＳ１１０１）。
【００５０】
ステップＳ１１０１の判別の結果、スキャナ２０７に原稿が配置されたとき、ＣＰＵ２０１はスキャナ２０７における図示しない圧板及びＡＤＦ（Auto Document Feeder）の何れに原稿が配置されたかについて判別する（ステップＳ１１０２）。
【００５１】
ステップＳ１１０２の判別の結果、圧板に原稿が配置されたとき、ＣＰＵ２０１は上記原稿のサイズを特定したか否かを判別する（ステップＳ１１０３）。
【００５２】
ステップＳ１１０３の判別の結果、上記原稿のサイズを特定したとき、ＣＰＵ２０１は圧板に配置された原稿の読み込み処理を行う（ステップＳ１１０４）。ＣＰＵ２０１は読み込んだ原稿のスキャン画像を生成し、生成したスキャン画像をＤＲＡＭ２０２に格納する。次いで、ＣＰＵ２０１は紙詰まり等のエラーを検知したか否かを判別する（ステップＳ１１０５）。
【００５３】
ステップＳ１１０５の判別の結果、エラーを検知しないとき、ＣＰＵ２０１は連続原稿読み込みを完了したか否かを判別する（ステップＳ１１０６）。ＭＦＰ１１では、例えば、圧板に配置された原稿の両面印刷が設定されている場合、原稿の表面及び裏面の両方の読み込み処理を行う必要がある。ステップＳ１１０６では、表面及び裏面の両方の読み取りを完了した場合のみ、ＣＰＵ２０１は連続原稿読み込みを完了したと判別する。
【００５４】
ステップＳ１１０６の判別の結果、連続原稿読み込みを完了しないとき、ＣＰＵ２０１はコピーＬＥＤ３０９及び終了／ログアウトＬＥＤ３１２を点滅させる（ステップＳ１１０７）。これにより、ＭＦＰ１１は次の原稿、例えば、裏面の原稿の配置、又は読み込み処理の次の処理の開始の指示をユーザに促す。なお、ステップＳ１１０７では、点滅の意味をユーザに伝えるための音声ガイダンスをスピーカー４０８から出力しても良い。次いで、ＣＰＵ２０１は読み込み処理の次の処理の開始を指示する終了／ログアウトボタン３０７の押下を検知したか否かを判別する（ステップＳ１１０８）。
【００５５】
ステップＳ１１０８の判別の結果、終了／ログアウトボタン３０７の押下を検知しないとき、ＣＰＵ２０１はコピーボタン３０３の押下を検知したか否かを判別する（ステップＳ１１０９）。
【００５６】
ステップＳ１１０９の判別の結果、コピーボタン３０３の押下を検知しないとき、ＣＰＵ２０１はステップＳ１１０８の処理に戻る。ステップＳ１１０９の判別の結果、コピーボタン３０３の押下を検知したとき、ＣＰＵ２０１は次の原稿を読み込むために、ステップＳ１１０１の処理に戻る。
【００５７】
ステップＳ１１０２の判別の結果、ＡＤＦに原稿が配置されたとき、ＣＰＵ２０１はＡＤＦに配置された原稿をスキャナ２０７の図示しない読み取り部に搬送し、上記原稿の読み込み処理を行う（ステップＳ１１１０）。ＣＰＵ２０１は読み込んだ原稿のスキャン画像を生成し、生成したスキャン画像をＤＲＡＭ２０２に格納する。次いで、ＣＰＵ２０１は紙詰まり等のエラーを検知したか否かを判別する（ステップＳ１１１１）。
【００５８】
ステップＳ１１０３の判別の結果、上記原稿のサイズを特定しないとき、又はステップＳ１１０５及びＳ１１１１の何れかの判別の結果、エラーを検知したとき、ＣＰＵ２０１はステータスＬＥＤ３０２を赤色に点滅させる（ステップＳ１１１２）。なお、ステップＳ１１１２では、警告音又はステータスＬＥＤ３０２の点滅の意味をユーザに伝えるための音声ガイダンスをスピーカー４０８から出力しても良い。次いで、ＣＰＵ２０１はモバイルＬＥＤ３１３を点滅させ（ステップＳ１１１３）、ユーザに携帯端末の接続を促す。なお、ステップＳ１１１３でも、点滅の意味をユーザに伝えるための音声ガイダンスをスピーカー４０８から出力しても良い。その後、ＣＰＵ２０１は本処理を終了する。
【００５９】
ステップＳ１１１１の判別の結果、エラーを検知しないとき、ＣＰＵ２０１はＡＤＦに配置された全ての原稿の読み込みを完了したか否かを判別する（ステップＳ１１１４）。
【００６０】
ステップＳ１１１４の判別の結果、ＡＤＦに配置された何れかの原稿の読み込みを完了しないとき、ＣＰＵ２０１はステップＳ１１１０の処理に戻る。
【００６１】
ステップＳ１１０６の判別の結果、連続原稿読み込みを完了したとき、ステップＳ１１０８の判別の結果、終了／ログアウトボタン３０７の押下を検知したとき、又はステップＳ１１１４の判別の結果、ＡＤＦに配置された全ての原稿の読み込みを完了したとき、ＣＰＵ２０１は生成したスキャン画像のプリント処理を行う（ステップＳ１１１５）。ステップＳ１１１５では、ＣＰＵ２０１は画像処理部２１１により、ＤＲＡＭ２０２に格納されたスキャン画像をプリント処理を行うための画像データに変換し、上記画像データを用紙に印刷する。次いで、ＣＰＵ２０１はコピーＬＥＤ３０９を消灯させ（ステップＳ１１１６）、本処理を終了する。
【００６２】
図１２は、図６のステップＳ６１２のスキャン処理の手順を示すフローチャートである。
【００６３】
図１２において、ＣＰＵ２０１はステップＳ１１０１〜Ｓ１１０６と同様の処理であるステップＳ１２０１〜Ｓ１２０６の処理を行う。
【００６４】
ステップＳ１２０６の判別の結果、連続原稿読み込みを完了しないとき、ＣＰＵ２０１はスキャンＬＥＤ３１０及び終了／ログアウトＬＥＤ３１２を点滅させる（ステップＳ１２０７）。これにより、ＭＦＰ１１は次の原稿、例えば、裏面の原稿の配置、又は読み込み処理の次の処理の開始の指示をユーザに促す。次いで、ＣＰＵ２０１は読み込み処理の次の処理の開始を指示する終了／ログアウトボタン３０７の押下を検知したか否かを判別する（ステップＳ１２０８）。
【００６５】
ステップＳ１２０８の判別の結果、終了／ログアウトボタン３０７の押下を検知しないとき、ＣＰＵ２０１はスキャンボタン３０４の押下を検知したか否かを判別する（ステップＳ１２０９）。
【００６６】
ステップＳ１２０９の判別の結果、スキャンボタン３０４の押下を検知しないとき、ＣＰＵ２０１はステップＳ１２０８の処理に戻る。ステップＳ１２０９の判別の結果、スキャンボタン３０４の押下を検知したとき、ＣＰＵ２０１は次の原稿を読み込むために、ステップＳ１２０１の処理に戻る。
【００６７】
ステップＳ１２０２の判別の結果、ＡＤＦに原稿が配置されたとき、ＣＰＵ２０１はステップＳ１１１０〜Ｓ１１１３と同様の処理であるステップＳ１２１０〜Ｓ１２１３の処理を行う。ステップＳ１２１１の判別の結果、エラーを検知しないとき、ＣＰＵ２０１はステップＳ１１１４と同様の処理であるステップＳ１２１４の処理を行う。
【００６８】
ステップＳ１２０６の判別の結果、連続原稿読み込みを完了したとき、ステップＳ１２０８の判別の結果、終了／ログアウトボタン３０７の押下を検知したとき、又はステップＳ１２１４の判別の結果、ＡＤＦに配置された全ての原稿の読み込みを完了したとき、ＣＰＵ２０１は後述する図１３のスキャン後処理を行う（ステップＳ１２１５）。次いで、ＣＰＵ２０１はスキャンＬＥＤ３１０を消灯させ（ステップＳ１２１６）、本処理を終了する。
【００６９】
図１３は、図１２のステップＳ１２１５のスキャン後処理の手順を示すフローチャートである。図１３の処理では、スキャンジョブのジョブ設定情報にＳＥＮＤ処理、ＢＯＸ処理、及びＦＡＸ処理の何れかが設定されていることを前提とする。ＳＥＮＤ処理はスキャン画像をＰＤＦデータに変換し、設定された送信先に上記ＰＤＦデータをＥメール送信する処理である。ＢＯＸ処理はスキャン画像をＰＤＦデータに変換し、上記ＰＤＦデータをＨＤＤ２１０に格納する処理である。ＦＡＸ処理はスキャン画像を設定された送信先にＦＡＸ送信する処理である。
【００７０】
図１３において、ＣＰＵ２０１は上記ジョブ設定情報にＳＥＮＤ処理が設定されているか否かを判別する（ステップＳ１３０１）。
【００７１】
ステップＳ１３０１の判別の結果、上記ジョブ設定情報にＳＥＮＤ処理が設定されているとき、ＣＰＵ２０１はＳＥＮＤ処理を実行し（ステップＳ１３０２）、本処理を終了する。ステップＳ１３０１の判別の結果、上記ジョブ設定情報にＳＥＮＤ処理が設定されていないとき、ＣＰＵ２０１は上記ジョブ設定情報にＢＯＸ処理が設定されているか否かを判別する（ステップＳ１３０３）。
【００７２】
ステップＳ１３０３の判別の結果、上記ジョブ設定情報にＢＯＸ処理が設定されているとき、ＣＰＵ２０１はＢＯＸ処理を実行し（ステップＳ１３０４）、本処理を終了する。ステップＳ１３０３の判別の結果、上記ジョブ設定情報にＢＯＸ処理が設定されていないとき、ＣＰＵ２０１は上記ジョブ設定情報にＦＡＸ処理が設定されているか否かを判別する（ステップＳ１３０５）。
【００７３】
ステップＳ１３０５の判別の結果、上記ジョブ設定情報にＦＡＸ処理が設定されているとき、ＣＰＵ２０１はＦＡＸ処理を実行し（ステップＳ１３０６）、本処理を終了する。ステップＳ１３０５の判別の結果、上記ジョブ設定情報にＦＡＸ処理が設定されていないとき、ＣＰＵ２０１は本処理を終了する。
【００７４】
図１４Ａ及び図１４Ｂは、図６のステップＳ６１８の中止処理の手順を示すフローチャートである。
【００７５】
図１４Ａ及び図１４Ｂにおいて、ＣＰＵ２０１はＭＦＰ１１に投入されたジョブの中にコピージョブが含まれるか否かを判別する（ステップＳ１４０１）。
【００７６】
ステップＳ１４０１の判別の結果、コピージョブが含まれないとき、ＣＰＵ２０１は後述するステップＳ１４０３の処理を行う。ステップＳ１４０１の判別の結果、コピージョブが含まれるとき、ＣＰＵ２０１はコピーＬＥＤ３０９を点滅させ（ステップＳ１４０２）、投入されたジョブの中にスキャンジョブが含まれるか否かを判別する（ステップＳ１４０３）。
【００７７】
ステップＳ１４０３の判別の結果、スキャンジョブが含まれないとき、ＣＰＵ２０１は後述するステップＳ１４０５の処理を行う。ステップＳ１４０３の判別の結果、スキャンジョブが含まれるとき、ＣＰＵ２０１はスキャンＬＥＤ３１０を点滅させ（ステップＳ１４０４）、投入されたジョブの中にプリントジョブが含まれるか否かを判別する（ステップＳ１４０５）。
【００７８】
ステップＳ１４０５の判別の結果、プリントジョブが含まれないとき、ＣＰＵ２０１は後述するステップＳ１４０９の処理を行う。ステップＳ１４０５の判別の結果、プリントジョブが含まれるとき、ＣＰＵ２０１はプリントＬＥＤ３１１を点滅させ（ステップＳ１４０６）、投入されたジョブの中に含まれるプリントジョブが複数であるか否かを判別する（ステップＳ１４０７）。
【００７９】
ステップＳ１４０７の判別の結果、投入されたジョブの中に含まれるプリントジョブが複数でないとき、ＣＰＵ２０１は後述するステップＳ１４０９の処理を行う。ステップＳ１４０７の判別の結果、投入されたジョブの中に含まれるプリントジョブが複数であるとき、ＣＰＵ２０１はモバイルＬＥＤ３１３を点滅させる（ステップＳ１４０８）。なお、ステップＳ１４０２、Ｓ１４０４、Ｓ１４０６、Ｓ１４０８では、ユーザへの通知内容がステップＳ６０７における点滅と異なるので、ステップＳ６０７における点滅と同じにならないように制御される。例えば、ステップＳ１４０２、Ｓ１４０４、Ｓ１４０６、Ｓ１４０８における各点滅は、ステップＳ６０７における点滅と異なる間隔で点滅する。次いで、ＣＰＵ２０１はＬＥＤに対応する操作ボタンのうち、コピーボタン３０３、スキャンボタン３０４、及びプリントボタン３０５の何れかが押下されたか否かを判別する（ステップＳ１４０９）。
【００８０】
ステップＳ１４０９の判別の結果、コピーボタン３０３、スキャンボタン３０４、及びプリントボタンの何れかが押下されたとき、ＣＰＵ２０１は押下された操作ボタンがコピーボタン３０３であるか否かを判別する（ステップＳ１４１０）。
【００８１】
ステップＳ１４１０の判別の結果、押下された操作ボタンがコピーボタン３０３であるとき、ＣＰＵ２０１は投入されたジョブの中の全てのコピージョブを中止する（ステップＳ１４１１）。次いで、ＣＰＵ２０１は点滅しているＬＥＤを消灯させ（ステップＳ１４１２）、本処理を終了する。
【００８２】
ステップＳ１４１０の判別の結果、押下された操作ボタンがコピーボタン３０３でないとき、ＣＰＵ２０１は押下された操作ボタンがスキャンボタン３０４であるか否かを判別する（ステップＳ１４１３）。
【００８３】
ステップＳ１４１３の判別の結果、押下された操作ボタンがスキャンボタン３０４であるとき、ＣＰＵ２０１は投入されたジョブの中の全てのスキャンジョブを中止し（ステップＳ１４１４）、ステップＳ１４１２以降の処理を行う。ステップＳ１４１３の判別の結果、押下された操作ボタンがスキャンボタン３０４でないとき、ＣＰＵ２０１は投入されたジョブの中の全てのプリントジョブを中止し（ステップＳ１４１５）、ステップＳ１４１２以降の処理を行う。
【００８４】
ステップＳ１４０９の判別の結果、コピーボタン３０３、スキャンボタン３０４、及びプリントボタンの何れも押下されないとき、ＣＰＵ２０１は携帯端末１５と通信接続したか否かを判別する（ステップＳ１４１６）。
【００８５】
ステップＳ１４１６の判別の結果、携帯端末１５と通信接続しないとき、ＣＰＵ２０１はステップＳ１４０９の処理に戻る。ステップＳ１４１６の判別の結果、携帯端末１５と通信接続し、また、携帯端末１５から中止するジョブを指定されると（ステップＳ１４１７でＹＥＳ）、ＣＰＵ２０１は指定されたジョブを中止する（ステップＳ１４１８）。次いで、ＣＰＵ２０１はステップＳ１４１２以降の処理を行う。
【００８６】
図１５は、図６のステップＳ６２１のハンドオーバー処理の手順を示すフローチャートである。
【００８７】
図１５において、ＣＰＵ２０１は、携帯端末１５がＮＦＣ通信領域３０１に近付いたことを検知すると（ステップＳ１５０１でＹＥＳ）、ハンドオーバーを成功するまで待機する。ハンドオーバーでは、携帯端末１５がＮＦＣタグ４０５からネットワーク情報を読み取り、読み取った情報に基づいて携帯端末１５がＭＦＰ１１と通信接続を行う。これにより、携帯端末１５及びＭＦＰ１１間で近距離無線通信より高速な無線通信を行うことが可能となる。次いで、ＣＰＵ２０１は上記ハンドオーバーに成功すると（ステップＳ１５０２でＹＥＳ）、携帯端末１５からジョブが投入されるまで待機する。ユーザは、携帯端末１５に表示される図１６の設定画面１６００を用いてジョブをＭＦＰ１１に投入可能である。ユーザは、例えば、モード選択１６０１においてスキャン１６０２を選択し、宛先設定１６０３においてスキャン画像の送信先を設定する。ＣＰＵ２０１は携帯端末からジョブを投入され（ステップＳ１５０３でＹＥＳ）、携帯端末１５からジョブの開始指示を受信すると（ステップＳ１５０４でＹＥＳ）、ジョブの実行を開始する。その後、ＣＰＵ２０１はジョブが終了すると（ステップＳ１５０５でＹＥＳ）、本処理を終了する。
【００８８】
以上、本発明について、上述した実施の形態を用いて説明したが、本発明は上述した実施の形態に限定されるものではない。例えば、ジョブ設定情報におけるワンタイム設定機能を設けても良い。
【００８９】
例えば、ユーザが、或るジョブのみ、デフォルト設定管理情報８０１やユーザ設定管理情報１００１に登録された設定情報と異なる設定情報で実行する場合、ユーザはＰＣ１３を用いてユーザ設定管理情報１００１を複数回編集する必要がある。具体的に、ユーザはＰＣ１３を用いてユーザ設定管理情報１００１におけるユーザ固有設定情報を所望の設定情報に変更し、さらに、変更した設定情報によるジョブの実行を完了後、ユーザ固有設定情報を元の設定情報に戻す必要があり、手間が生じる。
【００９０】
これに対応して、本実施の形態では、ジョブ設定情報におけるワンタイム設定機能が設けられる。
【００９１】
ユーザがＰＣ１３においてユーザ認証を成功すると、ＰＣ１３では図１７のユーザ固有設定登録画面１７００が表示される。ユーザはユーザ固有設定登録画面１７００を用いてユーザ固有設定情報の他に、ワンタイム設定情報（一時的設定情報）を一時的に登録可能である。ユーザ固有設定登録画面１７００において、項目１７０１〜１７０７に設定値が入力され、チェックボックス１７０８がオンの状態でＯＫボタン１７０９がユーザに選択されると、ワンタイム設定機能が有効に設定される。ワンタイム設定機能が有効に設定されると、項目１７０１〜１７０７に入力された設定値がユーザ設定管理情報１００１に登録されることなく、ワンタイム設定情報としてフラッシュＲＯＭ２１２等に一時的に格納される。設定欄１７１０ではワンタイム設定情報の保持期間が設定される。設定欄１７１０には、例えば、一つのジョブの実行を完了するまでワンタイム設定情報を保持する「１ジョブのみ」や、ユーザがログアウトするまでワンタイム設定情報を保持する「ログアウト」が設定される。
【００９２】
図１８は、図６のジョブ受付処理の変形例の手順を示すフローチャートである。
【００９３】
図１８の処理も、ＣＰＵ２０１がフラッシュＲＯＭ２１２に格納されたプログラムを実行することによって行われ、ＮＦＣ通信領域３０１に近距離無線通信機器が近付いたことをＣＰＵ２０１が検知した際に実行される。
【００９４】
図１８において、ＣＰＵ２０１はステップＳ６０１〜Ｓ６０５、Ｓ６２１の処理を行う。
【００９５】
ステップＳ６０５の判別の結果、特定したジョブのユーザ固有設定情報がユーザ設定管理情報１００１に登録されていないとき、ＣＰＵ２０１はステップＳ６０８以降の処理を行う。ステップＳ６０５の判別の結果、特定したジョブのユーザ固有設定情報がユーザ設定管理情報１００１に登録されているとき、ＣＰＵ２０１はワンタイム設定機能が有効に設定されているか否か判別する（ステップＳ１８０１）。
【００９６】
ステップＳ１８０１の判別の結果、ワンタイム設定機能が有効に設定されていないとき、ＣＰＵ２０１はステップＳ６０６以降の処理を行う。ステップＳ１８０１の判別の結果、ワンタイム設定機能が有効に設定されているとき、ＣＰＵ２０１はフラッシュＲＯＭ２１２に格納されたワンタイム設定情報をジョブ設定情報に設定する（ステップＳ１８０２）。すなわち、本実施の形態では、ＭＦＰ１１にログインしたユーザのユーザ識別番号及び投入されたジョブの種別に対応するワンタイム設定情報が登録されている場合、ワンタイム設定情報がジョブ設定情報に設定される。ワンタイム設定情報は設定欄１７１０に設定された条件、例えば、ジョブの実行を完了した際、若しくはユーザがログアウトした際にフラッシュＲＯＭ２１２から削除される。次いで、ＣＰＵ２０１はステップＳ６０７以降の処理を行う。
【００９７】
上述した実施の形態では、ＭＦＰ１１にログインしたユーザのユーザ識別番号及び投入されたジョブの種別に対応するワンタイム設定情報が登録されている場合、ワンタイム設定情報がジョブ設定情報に設定される。ワンタイム設定情報は所定の条件を満たした際に登録が破棄される。すなわち、デフォルト設定管理情報８０１やユーザ設定管理情報１００１に登録された設定情報以外の他の設定情報でジョブを実行する際にユーザはユーザ設定管理情報１００１を編集する必要が無い。これにより、或るジョブのみ上記他ので実行する際のジョブ設定情報の設定に関するユーザの手間を軽減することができる。
【００９８】
また、上述した実施の形態では、所定の条件は１つのジョブの実行を完了することである。これにより、１つのジョブのみデフォルト設定管理情報８０１やユーザ設定管理情報１００１に登録された設定情報と異なる他の設定情報で実行したい場合に、ジョブ設定情報の設定に関するユーザの手間を確実に軽減することができる。
【００９９】
さらに、上述した実施の形態では、所定の条件はユーザがＭＦＰ１１からログアウトすることである。これにより、複数のジョブをデフォルト設定管理情報８０１やユーザ設定管理情報１００１に登録された設定情報と異なる他の設定情報で連続実行したい場合に、ジョブ設定情報の設定に関するユーザの手間を軽減することができる。
【０１００】
上述した実施の形態では、図１９の操作部１９００のように、コピーボタン３０３、スキャンボタン３０４、プリントボタン３０５の他に、ＦＡＸボタン１９０１を備えていても良い。また、ＦＡＸボタン１９０１の状態を通知するＬＥＤ１９０２がＦＡＸボタン１９０１の周りを覆うように配置されている。なお、以下では、ＦＡＸボタン１９０１の周りを覆うように配置されているＬＥＤ１９０２をＦＡＸＬＥＤ１９０２とする。ＭＦＰ１１では、ＦＡＸボタン１９０１が押下されると、ステップＳ１３０６のＦＡＸ処理が実行される。
【０１０１】
次に、本発明の第２の実施の形態について説明する。
【０１０２】
本発明の第２の実施の形態は、その構成、作用が上述した第１の実施の形態と基本的に同じである。しかし、実行時にパスワードの入力を必要とするセキュアプリントを行う点で本発明の第１の実施の形態と異なるため、以下、重複した構成、作用については説明を省略し、異なる構成、作用についての説明を行う。
【０１０３】
ユーザはＰＣ１３等からセキュアプリントジョブを投入する際に特定の数字列をパスワードとして設定する。従来のＭＦＰでは、投入されたセキュアプリントジョブを実行する際に、ユーザは上記ＭＦＰに設けられる１０キーを操作してパスワードを入力し、入力したパスワードが上記設定されたパスワードと一致すると、セキュアプリントジョブが実行される。一方、ＭＦＰ１１の操作部２０４には、図３や図１９に示すように、１０キーが設けられていないので、ユーザはセキュアプリントジョブを実行するためのパスワードを入力することができず、その結果、セキュアプリントジョブを実行することができない。
【０１０４】
これに対し、本実施の形態では、ＭＦＰ１１の操作ボタンの押し順をセキュアプリントのパスワードとして使用する。
【０１０５】
図２０は、図１のＰＣ１３によって実行されるセキュアプリントジョブ投入処理の手順を示すフローチャートである。
【０１０６】
図２０の処理では、ＰＣ１３に表示された図２１（ａ）の設定画面２１００において、ジョブの投入を指示するＯＫボタン２１０１がユーザに選択された際に実行される。設定画面２１００では、ユーザはプルダウンメニュー２１０２からジョブの投入先を選択可能であり、また、ユーザは詳細設定ボタン２１０３を選択してジョブに関する詳細情報を設定可能である。詳細設定ボタン２１０３が選択されると、ＰＣ１３では図２１（ｂ）の詳細設定画面２１０４が表示される。詳細設定画面２１０４では、ユーザはセキュアプリントジョブ及び留め置きプリントジョブといったジョブの種別をプルダウンメニュー２１０５から選択可能である。また、図２０の処理では、プルダウンメニュー２１０２から選択可能な各装置に設けられる操作ボタンの種類を管理する図２２の操作ボタン管理情報２２０１をＰＣ１３が予め格納していることを前提とする。
【０１０７】
図２０において、ＰＣ１３は設定されたジョブの種別がセキュアプリントであるか否かを判別する（ステップＳ２００１）。
【０１０８】
ステップＳ２００１の判別の結果、設定されたジョブの種別がセキュアプリントであるとき、ＰＣ１３は操作ボタン管理情報２２０１から、設定されたジョブの投入先の装置、例えば、ＭＦＰ１１の操作ボタン情報を取得する（ステップＳ２００２）。次いで、ＰＣ１３はセキュアプリントのパスワードを設定する図２３のパスワード設定画面２３００を表示する（ステップＳ２００３）。パスワード設定画面２３００はパスワード入力ボタン２３０１、テキストボックス２３０６、及びＯＫボタン２３０７を備える。パスワード入力ボタン２３０１にはステップＳ２００２において取得した情報に基づいてＭＦＰ１１に設けられる各操作ボタンを示すソフトウェアボタン、具体的に、ＣＯＰＹボタン２３０２、ＳＣＡＮボタン２３０３、ＰＲＩＮＴボタン２３０４、及びＦＡＸボタン２３０５が表示される。ユーザはパスワード入力ボタン２３０１における各ボタンを選択してパスワードを設定する。すなわち、本実施の形態では、パスワード入力ボタン２３０１におけるボタンの押し順がパスワードとして設定される。テキストボックス２３０６にはパスワード入力ボタン２３０１においてユーザが選択したボタンに対応して黒丸が表示される。図２３では、パスワード入力ボタン２３０１において４つのボタンが選択されたことを示す。ＯＫボタン２３０７が選択されると、パスワード設定画面２３００における設定が確定する。
【０１０９】
次いで、ＰＣ１３はパスワード設定画面２３００においてＯＫボタン２３０７が選択されると（ステップＳ２００４でＹＥＳ）、ＰＣ１３はパスワード入力ボタン２３０１において選択されたボタンの数が予め設定された所定の数、例えば、４つであるか否かを判別する（ステップＳ２００５）。
【０１１０】
ステップＳ２００５の判別の結果、選択されたボタンの数が４つであるとき、ＰＣ１３はパスワード入力ボタン２３０１におけるボタンの押し順をパスワードとして設定したセキュアプリントジョブをジョブの投入先であるＭＦＰ１１に投入する（ステップＳ２００６）。その後、ＰＣ１３は本処理を終了する。
【０１１１】
ステップＳ２００５の判別の結果、選択されたボタンの数が４つでないとき、ＰＣ１３はパスワードの再入力を促すメッセージを表示し（ステップＳ２００７）、ステップＳ２００４の処理に戻る。
【０１１２】
ステップＳ２００１の判別の結果、設定されたジョブの種別がセキュアプリントでないとき、ＰＣ１３は設定されたジョブに応じた処理を実行し（ステップＳ２００８）、本処理を終了する。
【０１１３】
図２４は、図１のＭＦＰ１１によって実行されるセキュアプリント実行処理の手順を示すフローチャートである。
【０１１４】
図２４の処理も、ＣＰＵ２０１がフラッシュＲＯＭ２１２に格納されたプログラムを実行することによって行われる。また、図２４の処理はＰＣ１３等からセキュアプリントジョブが投入された際に実行される。
【０１１５】
図２４において、まず、ＣＰＵ２０１はプリントボタン３０５が押下されると（ステップＳ２４０１でＹＥＳ）、ＨＤＤ２１０に予め格納されたＭＦＰ１１の操作ボタン情報を取得する（ステップＳ２４０２）。ＭＦＰ１１の操作ボタン情報はＭＦＰ１１に設けられる操作ボタンの種類を示す情報であり、同じ情報がＰＣ１３によって管理される操作ボタン管理情報２２０１に登録されている。次いで、ＣＰＵ２０１はＭＦＰ１１の操作ボタン情報に該当する操作ボタンのＬＥＤ、具体的に、コピーＬＥＤ３０９、スキャンＬＥＤ３１０、プリントＬＥＤ３１１、及びＦＡＸＬＥＤ１９０２を点灯させる。ＣＰＵ２０１は点灯するＬＥＤに対応する操作ボタンの中から上記所定の数、例えば、４つの操作ボタンがユーザに押下されるまで待機する。次いで、ＣＰＵ２０１は４つの操作ボタンがユーザに押下されると（ステップＳ２４０３でＹＥＳ）、ＭＦＰ１１に投入されたジョブの中からセキュアプリントの検索処理を開始する（ステップＳ２４０４）。次いで、ＣＰＵ２０１は、ＭＦＰ１１に投入されたジョブの中に所定の条件を満たすセキュアプリントが存在するか否かを判別する（ステップＳ２４０５）。具体的に、ＣＰＵ２０１は、ＭＦＰ１１に投入されたジョブの中に、ユーザが押下した操作ボタンの押し順がパスワードとして設定されたセキュアプリントが存在するか否かを判別する。
【０１１６】
ステップＳ２４０５の判別の結果、ユーザに押下された操作ボタンの押し順がパスワードとして設定されたセキュアプリントが存在するとき、ＣＰＵ２０１は上記セキュアプリントを実行し（ステップＳ２４０６）、本処理を終了する。
【０１１７】
ステップＳ２４０５の判別の結果、ユーザに押下された操作ボタンの押し順がパスワードとして設定されたセキュアプリントが存在しないとき、ＣＰＵ２０１はジョブを実行せずに（ステップＳ２４０７）、本処理を終了する。
【０１１８】
上述した実施の形態では、操作ボタンの押し順がセキュアプリントジョブのパスワードとして使用される。これにより、１０キー等を設けないＭＦＰ１１において、パスワードの入力を必要とするセキュアプリントを実行することができる。
【０１１９】
上述した実施の形態では、セキュアプリントのパスワードである操作ボタンの押し順をユーザが選択する場合について説明したが、これに限られず、例えば、ＰＣ１３が上記操作ボタンの押し順を決定しても良い。例えば、ＰＣ１３は、過去にＭＦＰ１１に投入したセキュアプリントに設定した操作ボタンの押し順と異なる押し順をパスワードとして設定する。これにより、セキュリティレベルの低下に繋がる同じパスワードの使い回しを抑制することができる。
【０１２０】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【０１２１】
１１  ＭＦＰ
２０１  ＣＰＵ
３０３  コピーボタン
３０４  スキャンボタン
３０５  プリントボタン
３０９  コピーＬＥＤ
３１０  スキャンＬＥＤ
３１１  プリントＬＥＤ
４０６  ＬＥＤ制御部
８０１ デフォルト設定管理情報
１００１ ユーザ設定管理情報
１９０１  ＦＡＸボタン
１９０２  ＦＡＸＬＥＤ
【図１】
2019062455.tif 000003
【図２】
2019062455.tif 000004
【図３】
2019062455.tif 000005
【図４】
2019062455.tif 000006
【図５】
2019062455.tif 000007
【図６】
2019062455.tif 000008
【図７】
2019062455.tif 000009
【図８】
2019062455.tif 000010
【図９】
2019062455.tif 000011
【図１０】
2019062455.tif 000012
【図１１】
2019062455.tif 000013
【図１２】
2019062455.tif 000014
【図１３】
2019062455.tif 000015
【図１４Ａ】
2019062455.tif 000016
【図１４Ｂ】
2019062455.tif 000017
【図１５】
2019062455.tif 000018
【図１６】
2019062455.tif 000019
【図１７】
2019062455.tif 000020
【図１８】
2019062455.tif 000021
【図１９】
2019062455.tif 000022
【図２０】
2019062455.tif 000023
【図２１】
2019062455.tif 000024
【図２２】
2019062455.tif 000025
【図２３】
2019062455.tif 000026
【図２４】
2019062455.tif 000027